(57)【要約】  コンドーム（１０）は、コンドームから離れたデバイス（２００）へ信号を送信するデバイス（１４）を含んでいる。そのリモートデバイスは、信号受信能力を有するほとんどのデバイスである。例えば、そのリモートデバイスは、光及び／又は音声を生成及び／又は放出するデバイス、香りを放出するデバイス、または感覚を刺激して性交体験を高めるように設計された他のデバイスである。信号デバイス（すなわち、リモートデバイスへ／から信号を送信及び／又は受信するデバイス）は、コンドームの上又は中のいずれかの位置に置かれる。例えば、信号デバイスは、コンドームの袋（１２）、コンドームのフレーム（２２）のいずれかの部分の中又は上、コンドームの巻かれたリム（２０）の中、コンドームのいずれかの固定デバイス（２４）の中又は上に置かれる。そのデバイスは、性交又は音声で起動されるスイッチによって活性化される。
2010510031.tif 000002
【特許請求の範囲】
【請求項１】
リモートデバイスへ信号を送信するコンドームであって、
開口端及び閉口端を有する袋を有するコンドームと、
前記コンドームから離れたデバイスへ信号を送信し、またはそのデバイスから信号を受信するように動作するコンドーム上に置かれた信号デバイスと、を備えていることを特徴とするコンドーム。
【請求項２】
請求項１記載のコンドームにおいて、
前記信号デバイスは、信号生成器と、前記信号生成器と通信を行う送信機と、前記信号生成器と通信を行うスイッチと、を備えていることを特徴とするコンドーム。
【請求項３】
請求項２記載のコンドームにおいて、
前記スイッチは、熱スイッチを備えていることを特徴とするコンドーム。
【請求項４】
請求項２記載のコンドームにおいて、
前記スイッチは、トグルスイッチ、流体活性化スイッチ、薄膜スイッチ、感圧スイッチ、タイマースイッチ、及び音声活性化スイッチからなる群から選択されることを特徴とするコンドーム。
【請求項５】
請求項１記載のコンドームにおいて、
前記信号デバイスは、さらに、タイマー回路を備えていることを特徴とするコンドーム。
【請求項６】
請求項１記載のコンドームにおいて、
前記信号デバイスは、さらに、プログラム可能な回路を備えていることを特徴とするコンドーム。
【請求項７】
請求項１記載のコンドームにおいて、
さらに、前記信号デバイスに対して信号を送信又は受信するように動作するリモートデバイスを備えていることを特徴とするコンドーム。
【請求項８】
請求項１記載のコンドームにおいて、
さらに、コンドーム付属品を備えていることを特徴とするコンドーム。
【請求項９】
請求項８記載のコンドームにおいて、
さらに、前記コンドーム付属品を制御するために、前記コンドームへ信号を送信するように動作するリモートデバイスを備えていることを特徴とするコンドーム。
【請求項１０】
請求項１記載のコンドームにおいて、
前記コンドームは、男性用コンドームを構成していることを特徴とするコンドーム。
【請求項１１】
請求項１記載のコンドームにおいて、
前記コンドームは、女性用コンドームを構成していることを特徴とするコンドーム。
【請求項１２】
請求項１記載のコンドームにおいて、
前記リモートデバイスは、光放出デバイス、音声放出デバイス、及び香り放出デバイスからなる群から選択されることを特徴とするコンドーム。
【請求項１３】
請求項１記載のコンドームにおいて、
前記リモートデバイスは、前記コンドームから離れた人が身につけて動作するように構成された装置を備えていることを特徴とするコンドーム。
【請求項１４】
請求項１記載のコンドームにおいて、
前記コンドームから離れた人が身につけて動作するように構成された前記装置は、リストバンド、ネックレス、リング、ブレスレット、携帯音楽プレーヤー、携帯電話機、及びブルートゥース対応電子デバイスからなる群から選択されることを特徴とするコンドーム。
【請求項１５】
信号を受信又は送信するように動作するリモートデバイスと組み合わせて信号を送信又は受信するコンドームであって、
開口端及び閉口端を有する袋を有するコンドームと、
前記コンドームから離れたデバイスへコマンド信号を送信し、またはそのデバイスからコマンド信号を受信するように動作するコンドーム上に置かれた信号デバイスと、
前記コンドームから所定距離離れた所に置かれ、前記コンドームの信号デバイスへコマンド信号を送信、又は前記コンドームの信号デバイスからコマンド信号を受信するように動作する電子デバイスと、を備えていることを特徴とするコンドーム。
【請求項１６】
請求項１５記載のコンドームにおいて、
前記コンドームは、男性用コンドームを構成していることを特徴とするコンドーム。
【請求項１７】
請求項１５記載のコンドームにおいて、
前記コンドームは、女性用コンドームを構成していることを特徴とするコンドーム。
【請求項１８】
請求項１５記載のコンドームにおいて、
前記電子デバイスは、信号生成器と、前記信号生成器と通信を行うトランシーバと、前記信号生成器と通信を行うスイッチと、を備え、
前記スイッチは、トグルスイッチ、流体活性化スイッチ、薄膜スイッチ、感圧スイッチ、タイマースイッチ、及び音声活性化スイッチからなる群から選択されることを特徴とするコンドーム。
【請求項１９】
請求項１５記載のコンドームにおいて、
さらに、前記コンドーム上に置かれ、前記電子デバイスからコマンド信号を受信するように動作するコンドーム付属品を備えていることを特徴とするコンドーム。
【請求項２０】
請求項１９記載のコンドームにおいて、
前記コンドーム付属品は、バイブレーション・デバイス、振動デバイス、光放出デバイス、音声放出デバイス、及び流体ディスペンサーからなる群から選択されることを特徴とするコンドーム。
【発明の詳細な説明】
【技術分野】
【０００１】
本出願は、コンドームから離れたデバイスを活性化するように動作し、かつ／またはこのようなデバイスから信号を受信するように動作するオンボードの送信及び／又は受信を行う装置を有するコンドームについて記載されている。より詳細には、コンドーム上の某所に配置され、リモートデバイスへ（から）信号を送信又は受信する手段を有する男性用又は女性用のコンドームについて記載されている。例えば、このコンドームは、コンドームから遠く離れたデバイスを制御する信号を送信するように動作する。さらに、または代わりに、コンドームによって受信され、かつコンドームの付属物を制御するのに使用される信号を送信するように、リモートデバイスは動作する。
【０００２】
（関連出願の相互参照）
本出願は、２００６年１１月２０日に提出された、仮出願の通常の出願６０／８６６，４６５（３５  ＵＳＣ  １１９（ｅ））の開示が参照として組み込まれる。
【背景技術】
【０００３】
使用者又は使用者のパートナーに直接的な物理的刺激を与えるデバイスを、男性用及び女性用のコンドーム上に取り付けることが、当該技術分野において知られている。しかし、コンドームから離れたデバイスと通信する能力を有するコンドームを構成することは、知られていない。
【発明の概要】
【課題を解決するための手段】
【０００４】
男性用又は女性用のコンドームは、コンドームから離れたデバイスへ信号を送信するデバイスを含んでいる。そのリモートデバイスは、信号受信能力を有するほとんどのデバイスである。例えば、そのリモートデバイスは、光及び／又は音声を生成及び／又は放出するデバイス、香りを放出するデバイス、または感覚を刺激して性交体験を高めるように設計された他のデバイスである。また、そのリモートデバイスは、例えば、リストバンド、又は宝石／ファッション・アクセサリ、ネックレス、リング、ブレスレット、携帯音楽プレーヤー、携帯電話機、ブルートゥース対応デバイスなどの使用者又は使用者のパートナーが身につける装置である。
【０００５】
信号デバイス（すなわち、リモートデバイスへ／から信号を送信及び／又は受信するデバイス）は、コンドームの上又は中のいずれかの位置に置かれる。例えば、信号デバイスは、コンドームの袋、コンドームのフレームのいずれかの部分を含むコンドームの中又は上、コンドームの巻かれたリム（縁）の中、コンドームのいずれかの固定デバイス（例えば、女性用コンドームのスポンジ）の中又は上、又は袋の層／２層の間又は上に置かれる。信号デバイスは、性交又は音声の結果として起動されるいずれかのスイッチ手段によって活性化される。一例として、そのスイッチには、トグルスイッチ、薄膜スイッチ、感圧スイッチ、タイマースイッチ、熱スイッチ、流体活性化スイッチ、または大きな音又は予定された（プログラムされた）音声パターンが信号デバイス（例えば、ＴＨＥ  ＣＬＡＰＰＥＲ）を活性化されるような信号デバイスとの電気通信におけるマイクロフォンが含まれる。
【０００６】
動作において、信号デバイスは、勃起した陰茎の接触により、またはそのスイッチが作動するのに充分な圧力の発生により活性化される。または、スイッチが熱スイッチの場合、スイッチは、通常の人間の体温である華氏９８．６度（摂氏３７度）以上に温度が達したときに開くように設定される。いったん活性化されると、信号デバイスは、リモートデバイスによって受信される信号を発信する。信号の受信を受けて、そのリモートデバイスは、予定された動作を実行する。例えば、リモートデバイスがステレオの場合、信号デバイスにより送信された信号の受信を受けて、そのステレオは、故バリー・ホワイトによるコンパクトディスク録音を再生し始める。
【０００７】
他の実施形態において、コンドーム組立品は、また、コンドーム壁の上又は中、アンカーの上又は中を含むコンドーム上のいずれかに配置され、または、壁内にあるポケット又は空間に配置され、または、コンドームのフレーム上又はハーネスのいずれかの部分などに配置されたコンドーム付属品を含む。コンドーム付属品は、例えば、バイブレーション（又は振動）デバイス、光及び／又は音声デバイス、潤滑又は芳香性流体／ゲル／ホルダー／ディスペンサー、枕、固体デバイス、又はパッド、及びそれらのあらゆる組み合わせを含む。１つ以上のコンドーム付属品は、モデル及び／又は使用者のニーズに応じて、コンドーム上で使用されるようにしてもよい。コンドーム付属品は、取り外し可能又は再利用可能に構成してもよい。さらに、コンドームは、その人のニーズに合わせて、コンドーム付属品を、使用者が取り替えることができるように構成してもよい。
【０００８】
コンドーム付属品を制御及び／又は活性化するように、信号デバイスは、１つ以上のコンドーム付属品と、直接又はリモートで電気通信を行い、無線又はオーディオ／音声通信を行う。例えば、コンドーム付属品がバイブレーション・デバイスの場合、リモートデバイス（すなわち、キーフォブ型の送信機、又はリモート制御デバイス、又はそれらの上に配置される適切な電気的な手段を有する上述の他のデバイス）が、信号デバイスによって受信される信号を送信するのに使用され、その結果、バイブレーション・デバイスが活性化される。また、当然のことながら、信号デバイスが取り付けられた（すなわち、オンボードの）コンドームも、信号デバイスとコンドーム付属品との間の直接的（有線）又はリモート（無線）通信の手段により、コンドーム付属品が取り付けられた（すなわち、オンボードの）コンドームを活性化するように動作することが可能である。
【図面の簡単な説明】
【０００９】
【図１】コンドームと関連して使用される信号デバイスの概略図である。
【図２】リモートデバイスと通信を行っている男性用コンドームの図である。
【図３】女性用コンドームの斜視図である。
【図４】女性用コンドームの部分図、特に女性用コンドームの開口端を示す部分図である。
【発明を実施するための形態】
【００１０】
コンドームは、袋と、その袋のいずれかの部分の上又は中に置かれた信号デバイスを含んでいる。このコンドームは、開口端及び閉口端を有する男性用又は女性用のコンドームである。コンドームの開口端は、袋の巻端又は剛性又は半剛性のフレームを含んでいる。女性用コンドームでは、固定デバイス（例えば、スポンジ又は当該技術分野において周知の他のデバイス）が、袋の中の閉口端近くに置かれている。信号デバイスは、電源、信号を生成する集積回路又はマイクロコントローラのような信号生成器、信号を送信する送信機、信号を受信する受信機、及び信号デバイス装置を活性化するスイッチを含んでいる。また、信号デバイスは、信号デバイスの動作をさらに制御するタイマー回路も含んでいる。信号デバイスからの信号を受信するリモートデバイスは、袋から離れた所に置かれ、信号を受信して、その信号に応答するように動作する。
【００１１】
コンドーム１０は、袋１２と、袋１２又は袋１２に付随するデバイスのいずれかの部分に取り付けられた信号デバイス１４とを含んでいる。コンドーム１０は、開口端１６及び閉口端１８を有する男性用「Ｍ」又は女性用「Ｆ」コンドームである。コンドーム１０の開口端１６は、袋１２の巻かれたリム２０又は剛性又は半剛性のフレーム２２を含んでいる。女性用コンドーム「Ｆ」では、固定デバイス２４（例えば、スポンジ又は当該技術分野において周知の他のデバイス）が、袋１２の中の閉口端１８近くに置かれている。信号デバイス１４は、電源２６、信号を生成する集積回路又はマイクロコントローラのような信号生成器２８、信号を送信する送信機３０、受信機３１、及び送信装置１４を活性化するスイッチ３２を含んでいる。また、信号デバイス１４は、信号デバイス１４の動作をさらに制御するタイマー又はクロック回路３４も含んでいる。さらに、信号デバイス１４からの信号を受信するリモートデバイス２００は、コンドーム１０の袋１２から離れた所に置かれ、信号を受信して、送信された信号に応答するように動作する。
【００１２】
信号デバイス１４は、例えば、現代の電子的なキーフォブ（キーホルダーサイズのリモコンや無線ＩＣタグ）及び／又はガレージドア開閉機と同様の構成を有している。同様に、信号デバイス１４の電源２６は、リチウム電池又は当該技術分野において周知の他の電力デバイスを含んでいる。さらに、信号生成器２８は、集積回路又はマイクロコントローラ（ダラス・セミコンダクターズ社）を含んでいる。
【００１３】
信号生成器と電気通信を行う送信機３０は、小サイズとすべきであるが、商業的に利用可能なハードウェアで構成してもよい。例えば、送信機は、Ｍａｘｉｍ社のＭＡＸ１４７２・ＶＨＦ／ＵＨＦＰＬＬベースのＡＳＫ送信機、又はＡＢＡＣＯＭテクノロジーズ社のＡＭ−ＴＸ１−４ｘｘ・ＡＭ送信モジュールを使用して構成される。あるいは、信号の送信又は受信のタスクを管理するため、信号デバイス１４は、トランシーバ・チップ（例えば、ＡＭＩセミコンダクタ社のＡＭＩＳ−５３０００、又はダラス・セミコンダクター社のＤＳ２７６低電力シリアル通信トランシーバ）を単に含んでいる。
【００１４】
スイッチ３２は、信号生成器２８を活性化する手段として、信号生成器２８と通信を行う。上述したように、スイッチ３２は、例えば、トグルスイッチ、薄膜スイッチ、熱スイッチ、タイマースイッチ、または、大きな音又は所定の（プログラムされた）音声パターンが信号デバイスを活性化するような信号デバイスと電気通信を行う音声活性スイッチ／マイクロフォン（例えば、ＴＨＥ  ＣＬＡＰＰＥＲ）である。
【００１５】
最後に、信号の発信又は受信を制御する手段として、タイマー又はクロック回路３４が信号デバイス１４に組み込まれている。特に、タイマー回路３４は、信号送信の持続時間を制御するのに、または所定時間が経過するまで追加の信号送信を防止するのに使用される。
【００１６】
コンドーム１０の袋１２は、当該技術分野における周知設計の男性用及び女性用コンドームと同様の方法で、高分子材料などの合成材料を使用して構成される。しかし、ラテックス又は羊の腸のような自然材料もまた、袋１２を構成するのに使用される。例えば、男性用設計の袋１２は、商業的に利用可能なラテックス・モデルのＩＮＳＰＩＲＡＬ（登録商標）ブランド・コンドームと同様の方法で構成され、女性用設計の袋は、商業的に利用可能なラテックスＶＡ（登録商標）コンドームと同様の方法で構成される。さらに、当然のことながら、他の未来の男性用及び女性用袋１２設計もまた、信号デバイス１４を使用するのに適応できる。
【００１７】
上述したように、信号デバイス１４は、コンドーム１０の袋１２上又は袋１２内のどの位置にも置くことができる。例えば、信号デバイス１４は、袋１２の中に一体成形される。あるいは、信号デバイス１４は、袋１２内にあるポケットの中に置かれる。さらに、コンドーム１０が女性用コンドーム設計の袋１２を含む場合、信号デバイス１４はまた、固定デバイス上又は固定デバイス内に置かれ、フレーム上又はフレーム内（フレームの中にあるポケット又は空間を含んで）に置かれる。
【００１８】
リモートデバイス２００は、コンドーム１０から離れた所に置かれ、信号生成器２８によって生成され、送信機３０によって発信される信号を受信して応答するように動作する。したがって、リモートデバイス２００は、信号デバイス１４からの信号を受信するようにチューニングされる受信機を備えている。上述したように、リモートデバイス２００は、コンドーム１０の使用者が制御したいと思っているいずれかのデバイス手段である。例えば、リモートデバイスは、光及び／又は音声を生成及び／又は発信するデバイス（例えば、ランプ、ステレオ、ラジオ、ストロボなど）、香り放出デバイス（例えば、自動芳香剤）、又は感覚を刺激して性交体験を高めるように設計された他のデバイスである。また、リモートデバイスは、リストバンド又は宝石／ファッション・アクセサリ、ネックレス、リング、ブレスレット、携帯音楽プレーヤー、携帯電話機、又はブルートゥース対応デバイスなどの使用者又は使用者のパートナーが身につける装置であってもよい。
【００１９】
作動中、信号デバイス１４が、コンドーム１０の袋１２に対してどこに置かれているかにかかわらず、信号デバイス１４のスイッチ３２は、使用者の勃起した陰茎、または使用者又は使用者のパートナーの体の接触の作用によって生成される力、圧力及び／又は付加的な熱エネルギの結果として、性交中に起動されるように配列される。例えば、信号デバイス１４が、女性用コンドーム設計の固定デバイス２４の中に（又は壁内にある袋の中に）置かれる場合、手による刺激、または勃起した陰茎の固定デバイス２４（又は袋）への衝突により、スイッチ３２が起動される。あるいは、信号デバイス１４が、外部フレーム２２の中、または袋１２の壁内に形成されたポケットの中、または男性用コンドーム設計の外部リムの中に置かれる場合、コンドーム１０の陰茎への装着及び／又は性交行為によって生成される力／圧力（例えば、体の接触による力又は圧力）により、スイッチ３２が起動される。
【００２０】
スイッチ３２の起動の結果、信号生成器２８によって信号が生成され、送信機３０によってその信号が送信される。さらに、上述したように、タイマー又はクロック回路３４は、不必要な又は望まれていない信号の送信を防止するのに使用される。例えば、リモートデバイス２００が、使用者又は使用者のパートナーが身につけるマッサージ・デバイスであると仮定して、コンドーム１０によって送信される最初の信号は、マッサージ・デバイスのオン信号であろう。しかし、即時後のオフ信号の送信を防止するため、タイマー回路３４は、所定時間の間（例えば、３０分）、第２の信号の送信を防止するようにプログラムされる。
【００２１】
他の実施形態において、コンドーム１０は、五感の少なくとも１つを刺激するための少なくとも１つのコンドーム付属品３６を含み、信号デバイス１４は、コンドーム付属品３６を制御及び／又は活性化するためにコンドーム付属品３６と電気通信を行う。
【００２２】
さらに具体的に言うと、コンドーム１０は、コンドーム壁の上又は中、コンドーム内のスポンジ（又は充填材又はクッションとして機能する他の材料）の中、コンドーム（女性用）の固定部の上又は中に置かれた、壁内にあるポケット又は空間の中に置かれた、またはコンドームのフレーム（女性用）の上又はコンドームの装備のいずれかの部分に置かれたコンドーム付属品３６を含んでいる。コンドーム付属品３６は、例えば、バイブレーション（又は振動）デバイス、光及び／又は音声デバイス、潤滑流体／ゲル、又は芳香流体／ゲルのホルダー／ディスパンサー、枕、固体デバイス、又はパッド、及びそれらのいずれかの組み合わせを含む。モデル及び／又は使用者のニーズに応じて、１つ以上のコンドーム付属品３６がコンドーム上で使用される。コンドーム付属品３６は、取り外し可能又は再利用可能に構成される。さらに、コンドームは、その人のニーズに合わせて、コンドーム付属品を、使用者が取り替えることができるように構成されている。
【００２３】
作動中、信号デバイス１４は、コンドーム付属品３６を制御及び／又は活性化するために、１つ以上のコンドーム付属品３６と電気又はオーディオ／音声の通信を行う。例えば、コンドーム付属品がバイブレーション・デバイスの場合、リモートデバイス２００（すなわち、キーフォブ・スタイルの送信機、又はリモート制御デバイス、又は必要なエレクトロニクスを有するリストバンド、宝石等の上記の他のデバイス）は、信号デバイスによって受信される信号を送信するのに使用され、それによって、バイブレーション・デバイスが活性化される。あるいは、当然のことながら、信号デバイスが取り付けられた（すなわち、オンボードの）コンドームは、信号デバイスとコンドーム付属品との間の直接（有線）又はリモート（無線）の通信手段によって、コンドーム付属品が取り付けられた（すなわち、オンボードの）コンドームを活性化するように動作可能である。
【符号の説明】
【００２４】
１０  コンドーム
１２  袋
１４  信号デバイス
１６  開口端
１８  閉口端
２０  リム
２２  フレーム
２４  固定デバイス
２６  電源
２８  信号生成器
３０  送信機
３１  受信機
３２  スイッチ
３４  タイマー又はクロック回路
３６  コンドーム付属品
２００  リモートデバイス
【図１】
2010510031.tif 000003
【図２】
2010510031.tif 000004
【図３】
2010510031.tif 000005
【図４】
2010510031.tif 000006
【国際調査報告】
2010510031.tif 000007
2010510031.tif 000008